(57)【特許請求の範囲】
【請求項１】
永久磁石が組み込まれた回転本体部を有する回転子と、
前記回転子の外側に配置され、当該回転子に回転力を付与するコイル部を有する固定子と、
前記回転子を収容するベース板及びカバー板とを備えたカメラ用モータにおいて、
前記回転子には、その回転中心部において貫通孔が形成され、
前記ベース板及び前記カバー板のいずれか一方には、前記回転子の貫通孔に挿入される軸部が立設され、
前記軸部は、磁性体で形成されて着磁されると共に、前記ベース板と前記カバー板との間隔を維持するべく前記ベース板及びカバー板の他方に接触する端面を有するように形成されている、
ことを特徴とするカメラ用モータ。
【請求項２】
前記回転子は、前記回転本体部の外周面から突出した作動片を有することを特徴とする請求項１に記載のカメラ用モータ。
【発明の詳細な説明】
【０００１】
【発明の属する技術分野】
本発明は、カメラのシャッタ駆動機構等に使用される小型のモータに関するものである。
【０００２】
【従来の技術】
カメラのシャッタ駆動機構等に使用される従来の小型モータとしては、例えば特開平７−１９１３７７号公報に記載されているものが知られている。この公報に記載のモータは、ロータマグネット（回転子）と、このロータマグネットに対面して配置されたステータと、このステータに電磁力を発生させてロータマグネットに回転力を与えるコイルと、ロータマグネットを回転可能でかつ挟持するように支持する２つの支持部材とを備えている。
【０００３】
【発明が解決しようとする課題】
上記従来技術においては、ロータマグネットの上下面の回転中心に軸部を設けると共に、２つの支持部材に、ロータマグネットの各軸部に嵌合する穴を形成し、これらの穴にロータマグネットの各軸部を嵌入させることによって、ロータマグネットを回転可能に支持している。しかし、上記従来技術のように支持部材に形成した穴がその支持部材を貫通していると、その穴からゴミ等が入ってロータマグネットの軸部に付着することがあり、この場合には、ロータマグネットの回転動作が不安定になることがある。
【０００４】
本発明の目的は、回転子の安定した回転動作を可能にするカメラ用モータを提供することである。
【０００５】
【課題を解決するための手段】
上記の目的を達成するため、本発明は、永久磁石が組み込まれた回転本体部を有する回転子と、回転子の外側に配置され、当該回転子に回転力を付与するコイル部を有する固定子と、回転子を収容するベース板及びカバー板とを備えたカメラ用モータにおいて、回転子には、その回転中心部において貫通孔が形成され、ベース板及びカバー板のいずれか一方には、回転子の貫通孔に挿入される軸部が立設され、軸部は、磁性体で形成されて着磁されると共に、ベース板とカバー板との間隔を維持するべくベース板及びカバー板の他方に接触する端面を有するように形成されている。
【０００６】
以上のように構成した本発明においては、ベース板及びカバー板のいずれか一方に設けた軸部を回転子の貫通孔に挿入させることによって回転子を回転可能に支持する。このため、回転子の回転中心部がモータ外部に露出されることはないので、ゴミ等が回転子の回転中心部に付着することが防止される。また、上記１本の軸部だけで回転子を回転可能に支持するので、回転子の軸ずれが起きることは無い。したがって、回転子は安定して回転するようになる。
また、軸部が磁性体で形成されて着磁されているため、軸部と回転子の回転本体部との間に吸引・反発力が発生するので、これを利用することで、回転子の最適な初期位置（停止位置）を容易に設定できる。例えば、強い吸引力が発生する位置が初期位置となるように軸部に着磁を行うと、コイル部の銅線が通電されていない時には、軸部は強力に回転本体部に引き付けられるため、衝撃等による回転子の誤動作は起こらず、回転子は初期位置で停止したままとなる。
【０００９】
なお、例えば、回転子は、回転本体部の外周面から突出した作動片を有するものである。
【００１０】
【発明の実施の形態】
以下、本発明に係るカメラ用モータをシャッタ駆動機構に使用した場合の好適な実施形態について図面を参照して説明する。
【００１１】
まず、本発明に係るカメラ用モータの第１の実施形態を図１〜図３により説明する。図１は本実施形態によるカメラ用モータの分解斜視図であり、図２はそのモータの平面図であり、図３はそのモータの断面図である。同図において、カメラ用モータ１は回転子２を備えており、この回転子２は、軸受部３ａ及びその外周部に配置された円筒状の永久磁石３ｂからなる回転本体部４を有し、この回転本体部４の回転中心部には貫通孔５が形成されている。回転本体部４の外周面下部には、２枚の羽根６ａ，６ｂ（図２では羽根６ａのみ図示）に連結させた断面略Ｌ字型の作動片７が突出している。なお、回転本体部４及び作動片７は、モールド等により一体成形されている。
【００１２】
このような回転子２は、ベース板８とカバー板９とで作られる空間内に収容されている。ベース板８は、シャッタ地板１０の上に載置された例えばプラスチック製の円板であり、その中心部には円形の撮影用開口８ａが形成されている。この撮影用開口８ａは、上記羽根６ａ，６ｂにより開閉される。ベース板８上には、軸部１１が一体的に突設しており、この軸部１１に隣接した位置には貫通穴１２が形成されている。軸部１１は、回転子２の作動片７が貫通穴１２に挿入された状態で、回転子２の貫通孔５に挿入しており、回転子２を回転可能に支持している。このように回転子２は１本の軸部１１だけで支持されているので、回転子２の軸ずれが起きることは無い。なお、軸部１１の上端部には突出部１３が設けられており、この突出部１３は回転本体部４の上面から突き出ている（図３参照）。
【００１３】
ベース板８上において、回転子２の外側には、磁界を形成する２つのヨーク１４，１４が回転子２を挟むようにして配置されている。各ヨーク１４には、当該ヨーク１４に電磁力を発生させて回転子２に回転力を与えるためのコイル部１５が設けられている。コイル部１５は、中空部分１６ａを有するボビン１６に銅線が巻かれたものであり、ヨーク１４に設けられた鉄心としての立ち曲げ部１７がボビン１６の中空部分１６ａに挿入されている。
【００１４】
回転子２及び２つのヨーク１４，１４は、プラスチック製の円弧状のカバー板９により覆われている。このカバー板９は、裏面に固定用の突起１８ａ，１８ａ，１８ｂ，１８ｂを有しており、この突起１８ｂ，１８ｂが各ヨーク１４に形成された穴１４ａに差し込れると共に、突起１８ａ，１８ａがベース板８に形成された８ｂ，８ｂに差し込まれている。そして、ベース板８上に設けられた突設部８ｃ，８ｃにカバー板９がボルト１９，１９で固定されている。この時、カバー板９の上面部に形成した貫通穴２０に、軸部１１の突出部１３が挿入され、軸部１１の上端面の外側部分（下段部分）１１ａがカバー板９の下面を受けている状態となっている（図３参照）。
【００１５】
カバー板９上には、２つのヨーク１４，１４同士を連結するための円弧状の連結ヨーク２１が配置されている。この連結ヨーク２１は両端部に脚部２２，２２を有し、この脚部２２，２２を、カバー板９の上面部に形成された貫通穴２３，２３に差し込んで各ヨーク１４，１４の立ち曲げ部１７，１７に連結している。なお、２つのヨーク１４，１４、２つのコイル部１５，１５及び連結ヨーク２１で、モータ１の固定子が形成されている。
【００１６】
以上のように構成したカメラ用モータ１において、図示しない制御装置からの信号によりコイル部１５の銅線に正方向の通電を行うと、ヨーク１４に電磁力が発生し、回転子２が反時計方向に回転し、羽根６ａ，６ｂは開放位置に向かって移動する。一方、コイル部１５の銅線に逆方向の通電を行うと、ヨーク１４に反対方向の電磁力が発生し、回転子２が時計方向に回転し、羽根６ａ，６ｂは閉鎖位置に向かって移動する。
【００１７】
以上のように構成した本実施形態にあっては、回転子２の回転中心部に貫通孔５を形成すると共に、ベース板８に軸部１１を突設し、貫通孔５に軸部１１を挿入して回転子２を回転可能に支持するようにしたので、回転子２の回転中心部がモータ１の外部に露出されることが無くなり、ゴミ等が回転子２の回転中心部に付着することが防止される。また、１本の軸部１１だけで回転子２を回転可能に支持するので、回転子２の軸ずれが起きることは無い。したがって、回転子２の回転動作が安定するようになる。
【００１８】
次に、本発明に係るカメラ用モータの第２の実施形態を図４により説明する。図中、第１の実施形態と同一または同等の部材には同じ符号を付し、その説明を省略する。
【００１９】
図４において、モータ１Ａは、軸部１１と一体成形されたベース板８を有する第１の実施形態と異なり、凹部３１が形成されたプラスチック製のベース板８Ａを備えている。凹部３１には、磁性体例えば鉄で形成された軸部３３が突設されており、この軸部３３の上端部には突出部３２が設けられている。なお、この軸部３３はベース板８Ａに接着剤等で固着されている。また、軸部３３は、着磁装置等により着磁され、極を持っている。ここでは、軸部３３は、回転子２の作動片７が初期位置（例えば、図２に示すように羽根６ａ，６ｂの閉鎖位置に対応する位置）にあるときに、回転本体部４に組み込まれた永久磁石３ｂとの間で最も強い吸引力が発生するように、着磁されている。その他の構成は、第１の実施形態と同じである。
【００２０】
このように構成した実施形態においては、回転子２の作動片７が初期位置にある状態で、コイル部１５の銅線が通電されていないときには、軸部３３の極と回転子２の回転本体部４（永久磁石３ｂ）の極との間に最も強い吸引力が発生するため、衝撃等により回転子２に何らかの力が作用しても、回転子２が簡単に回転してしまうことはなく停止状態が維持される。また、コイル部１５の銅線を通電させることにより回転子２が回転するときには、回転本体部４と軸部３３との間の吸引力により軸部３３は常に回転子２の回転中心に位置するようになるため、回転子２は常に均一な力が与えられた状態で回転する。
【００２１】
このように、軸部３３を磁性体で形成しかつその軸部３３に着磁をしたので、コイル部１５の銅線の無通電時に、回転子２が衝撃等により誤って作動することを防止できる。また、コイル部１５の銅線の通電時には、ゴミ等による回転子２への悪影響が無くなるだけでなく、回転子２に均一な力が作用するため、回転子２の回転動作がより安定するようになる。
【００２２】
なお、本実施形態では、軸部３３に着磁する構成としたが、そのような着磁は特にしなくてもよい。この場合であっても、軸部は磁性体であるため、回転子２の永久磁石３ｂに吸引力が作用し、軸部は回転子２に引き付けられる。このため、コイル１５の無通電時には回転子２が回転しにくくなり、衝撃等による回転子２の誤作動を低減できる。
【００２３】
本発明に係るカメラ用モータの第３の実施形態を図５により説明する。図中、第１の実施形態と同一または同等の部材には同じ符号を付し、その説明を省略する。
【００２４】
図５において、モータ１Ｂは、軸部１１と一体成形されたベース板８を有する第１の実施形態と異なり、第２の実施形態と同様に凹部３１が形成されたプラスチック製のベース板８Ａを備えている。凹部３１には、磁性体例えば鉄で形成された軸部３３Ｂが突設されており、この軸部３３Ｂの上端部には突出部３２Ｂが設けられている。この突出部３２Ｂはカバー板９の貫通穴２０を突き抜けて連結ヨーク２１の高さ位置まで延び、当該連結ヨーク２１に接している。その他の構成は、第１の実施形態と同じである。
【００２５】
このように、磁性体の軸部３３Ｂを連結ヨーク２１に接触させるようにしたので、コイル部１５の銅線を通電させたときには、軸部３３Ｂは極を持つようになる。このため、軸部３３Ｂと回転子２の永久磁石３ｂとの間に吸引・反発力が発生するため、軸部３３Ｂは磁力を増大させるように作用し、ヨーク１４の機能を補助する役目を果たすことになり、これにより回転子２の回転力が増大する。
【００２６】
なお、以上説明してきたいくつかの実施形態においては、回転子２の貫通孔５に挿入される軸部をベース板上に立設させる構成としたが、そのような軸部は、ベース板ではなくカバー板に設けてもかまわない。
【００２７】
また、回転子２の回転本体部４の外周面には作動片７が突出しているが、本発明は、そのような作動片を備えていないカメラ用モータにも適用できる。
【００２８】
【発明の効果】
本発明によれば、ベース板及びカバー板のいずれか一方に設けた軸部を、回転子の回転中心部に形成した貫通孔に挿入することによって、回転子を回転可能に支持するようにしたので、ゴミ等による回転子への悪影響が少なくなると共に、回転子の軸ずれが起きることが無くなり、これにより、回転子を安定して回転させることができる。
【図面の簡単な説明】
【図１】本発明に係るカメラ用モータの第１の実施形態を示す分解斜視図である。
【図２】図１に示すカメラ用モータの平面図である。
【図３】図１に示すカメラ用モータの断面図である。
【図４】本発明に係るカメラ用モータの第２の実施形態を示す断面図である。
【図５】本発明に係るカメラ用モータの第３の実施形態を示す断面図である。
【符号の説明】
１，１Ａ，１Ｂ…カメラ用モータ、２…回転子、３ｂ…永久磁石、４…回転本体部、５…貫通孔、７…作動片、８，８Ａ…ベース板、９…カバー板、１１…軸部、１４…ヨーク（固定子）、１５…コイル、２１…連結ヨーク（固定子）、３３，３３Ｂ…軸部。
【図１】
0004574760.tif 000002
【図２】
0004574760.tif 000003
【図３】
0004574760.tif 000004
【図４】
0004574760.tif 000005
【図５】
0004574760.tif 000006